(57)【要約】      （修正有）【課題】充放電効率が高い２次電池型燃料電池システムを提供する。【解決手段】２次電池型燃料電池システムは、鉄が主体である水素発生部材１と、発電・電気分解部２とを備え、水素発生部材１と前記発電・電気分解部２との間で水素及び水蒸気を含むガスを循環させる。さらに検出部１０と制限部６を備え、検出部１０は、水素発生部材１を封じた閉空間内の水蒸気分圧を検出する。制限部６は、水素発生部材１の主体である鉄が概ね全てＦｅＯの状態まで酸化したと検出部１０の検出結果に基づいて判断すると、鉄が概ね全てＦｅＯの状態まで酸化した水素発生部材１から供給される水素を用いた発電・電気分解部２の発電を制限する。【選択図】図４
2014229504.tif 000002
【特許請求の範囲】
【請求項１】
鉄が主体であり、酸化反応によって水素を発生し、還元反応によって再生可能な水素発生部材と、
酸化剤ガスと前記水素発生部材から供給される水素を用いて発電を行う発電機能及び前記水素発生部材の再生時に前記水素発生部材から供給される水蒸気を電気分解する電気分解機能を有する発電・電気分解部と、
前記燃料発生部材と前記発電・電気分解部との間で水素及び水蒸気を含むガスを循環させるためのガス流路と、
前記水素発生部材を封じた閉空間内の水蒸気分圧を検出する検出部と、
前記水素発生部材の主体である鉄が概ね全てＦｅＯの状態まで酸化したと前記検出部の検出結果に基づいて判断すると、鉄が概ね全てＦｅＯの状態まで酸化した前記水素発生部材から供給される水素を用いた前記発電・電気分解部の発電を制限する制限部とを備えることを特徴とする２次電池型燃料電池システム。
【請求項２】
前記水素発生部材と前記発電・電気分解部とが別々の容器に収容され、
前記検出部は、前記水素発生部材を収容する容器のガス流出口近傍に配置されることを特徴とする請求項１に記載の２次電池型燃料電池システム。
【請求項３】
前記制限部は、前記水素発生部材の主体である鉄が概ね全てＦｅＯの状態まで酸化したと前記検出部の検出結果に基づいて判断すると、鉄が概ね全てＦｅＯの状態まで酸化した前記水素発生部材から供給される水素を用いた前記発電・電気分解部の発電を停止することを特徴とする請求項１又は請求項２に記載の２次電池型燃料電池システム。
【請求項４】
前記水素発生部材を複数備え、
複数の前記水素発生部材と前記発電・電気分解部とが別々の容器に収容され、且つ、複数の前記水素発生部材それぞれが別々の容器に収容され、
複数の前記燃料発生部と前記発電・電気分解部との間でのガス循環経路を切り替える切替部を前記ガス流路上に備え、
前記制限部は、前記ガス循環経路に含まれている前記水素発生部材の主体である鉄が概ね全てＦｅＯの状態まで酸化したと前記検出部の検出結果に基づいて判断すると、鉄が概ね全てＦｅＯの状態まで酸化した前記水素発生部材を前記ガス循環経路から外すように、前記切替部を制御することを特徴とする請求項３に記載の２次電池型燃料電池システム。
【請求項５】
前記制限部は、前記水素発生部材の主体である鉄が概ね全てＦｅＯの状態まで酸化したと前記検出部の検出結果に基づいて判断すると、前記発電・電気分解部の出力可能最大出力を制限し、
前記制限部によって制限された前記出力可能最大出力が前記２次電池型燃料電池システムに接続されている負荷の要求電力に満たない場合、前記負荷に接続されている他の電力供給源の出力電力によって前記要求電力の不足分が賄われることを特徴とする請求項１又は請求項２に記載の２次電池型燃料電池システム。
【発明の詳細な説明】
【技術分野】
【０００１】
本発明は、発電動作だけでなく充電動作も行える２次電池型燃料電池システムに関する。
【背景技術】
【０００２】
燃料電池は、典型的には、固体ポリマーイオン交換膜を用いた固体高分子電解質膜、イットリア安定化ジルコニア（ＹＳＺ）を用いた固体酸化物電解質膜等を、燃料極（アノード）と酸化剤極（カソード）とで両側から挟み込んだものを１つのセル構成としている。そして、燃料極に燃料ガス（例えば水素）を供給する燃料ガス流路と、酸化剤極に酸化剤ガス（例えば酸素や空気）を供給する酸化剤ガス流路とが設けられ、これらの流路を介して燃料ガス、酸化剤ガスがそれぞれ燃料極、酸化剤極に供給されることにより発電が行われる。
【０００３】
燃料電池は、原理的に取り出せる電力エネルギーの効率が高いため、省エネルギーになるだけでなく、環境に優れた発電方式であり、地球規模でのエネルギーや環境問題解決の切り札として期待されている。
【先行技術文献】
【特許文献】
【０００４】
【特許文献１】特表平１１−５０１４４８号公報
【特許文献２】国際公開第２０１２／０２６２１９号
【発明の概要】
【発明が解決しようとする課題】
【０００５】
特許文献１には、固体酸化物型燃料電池と、酸化反応により水素を発生し、還元反応により再生可能な水素発生部材（鉄）とを組み合わせた２次電池型燃料電池システムが開示されている。上記２次電池型燃料電池システムでは、システムの発電動作時に水素発生部材（鉄）が水との酸化反応により水素を発生し、水素発生部材（鉄）で発生した水素が固体酸化物型燃料電池の発電反応に用いられ、システムの充電動作時に酸化している水素発生部材（酸化鉄）が水素との還元反応により水を発生し、酸化している水素発生部材（酸化鉄）で発生した水が固体酸化物型燃料電池の電気分解反応に用いられる。
【０００６】
特許文献１では、上記２次電池型燃料電池システムの発電動作時および充電動作時において、水素発生部材（鉄または酸化鉄）の温度を６００℃〜８００℃に設定している。水蒸気を用いた鉄の酸化反応及び水素を用いた酸化鉄の還元反応を概ね６００℃以上で行う場合、当該酸化反応及び当該還元反応のギブスの自由エネルギーの関係上、図１に示すように、水蒸気と水素の混合ガスである反応ガスの水蒸気分圧ＰH2O及び水素分圧ＰH2によって、Ｆｅ、ＦｅＯ、Ｆｅ3Ｏ4がそれぞれ安定な相となる領域が存在する。
【０００７】
よって、上記２次電池型燃料電池システムの発電動作時における鉄の酸化反応としては、まず下記の（１）式の反応が支配的に起こり、鉄が概ねＦｅＯの状態まで酸化しきった後に、下記の（２）式の反応が支配的に起こる。
Ｆｅ＋Ｈ2Ｏ→ＦｅＯ＋Ｈ2  …（１）
３ＦｅＯ＋Ｈ2Ｏ→Ｆｅ3Ｏ4＋Ｈ2  …（２）
【０００８】
水素発生部材として設置されている鉄が概ねＦｅ3Ｏ4の状態まで酸化しきった後に、厳密にはさらに２Ｆｅ3Ｏ4＋Ｈ2Ｏ→３Ｆｅ2Ｏ3＋Ｈ2の反応が起こる。しかしながら、上記Ｆｅ2Ｏ3が生成される反応には水蒸気濃度ほぼ１００％の反応ガスが必要であり、このようなガスを上記２次電池型燃料電池システムの発電動作時に使用することは現実的ではないので、上記Ｆｅ2Ｏ3が生成される反応は考慮しない。
【０００９】
上記の（１）式の反応と上記の（２）式の反応とでは、平衡状態となる反応ガスの組成（平衡ガス組成）が異なり、上記の（１）式の反応における平衡ガス組成の方が上記の（２）式の反応における平衡ガス組成よりも水蒸気分圧が低い。すなわち、水素発生部材として設置されている鉄が概ねＦｅ3Ｏ4の状態になるまで上記２次電池型燃料電池システムの発電動作を継続した場合、固体酸化物型燃料電池の燃料極側と水素発生部材との間を循環している反応ガスの水蒸気分圧ＰH2Oは、図２に示すように下記の（期間Ｔａ）〜（期間Ｔｅ）の順で変化する。
【００１０】
なお、図２に示す水蒸気分圧ＰH2Oの変化においては、特許文献１で述べられている水蒸気及び水素の損失やその損失を補充するための補充蒸気を考慮していない。すなわち、特許文献１の開示内容とは異なり、固体酸化物型燃料電池の燃料極と水素発生部材とが閉空間内に封じられていると考える。
【００１１】
（期間Ｔａ）
固体酸化物型燃料電池の発電反応に閉空間内の水素が用いられ、当該発電反応によって水蒸気が生成されるため、閉空間内の水蒸気分圧は上昇する。しかしながら、この段階では閉空間内の水蒸気分圧は上記の（１）式の反応における平衡ガス組成の水蒸気分圧よりも低く、鉄の酸化反応はほとんど起こらないため、閉空間内の水蒸気分圧は上昇を続ける。
【００１２】
（期間Ｔｂ）
閉空間内の水蒸気分圧が上記の（１）式の反応における平衡ガス組成の水蒸気分圧よりも高くなり、上記の（１）式の反応によって水蒸気が消費され水素が生成される。そして、固体酸化物型燃料電池の発電反応によって消費される水素の量と上記の（１）式の反応によって生成される水素の量とが等しくなり、水蒸気分圧は一定となる。
【００１３】
（期間Ｔｃ）
水素発生部材として設置されている鉄の概ね全てが上記の（１）式の反応を終えると（すなわち水素発生部材として設置されている鉄が概ねＦｅＯの状態まで酸化すると）、上記の（１）式の反応によって生成される水素の量が少なくなり、再び閉空間内の水蒸気分圧は上昇を始める。しかしながら、この段階では閉空間内の水蒸気分圧は上記の（２）式の反応における平衡ガス組成の水蒸気分圧よりも低く、上記の（２）式の反応はほとんど起こらないため、閉空間内の水蒸気分圧は上昇を続ける。
【００１４】
（期間Ｔｄ）
閉空間内の水蒸気分圧が上記の（２）式の反応における平衡ガス組成の水蒸気分圧よりも高くなり、上記の（２）式の反応によって水蒸気が消費され水素が生成される。そして、固体酸化物型燃料電池の発電反応によって消費される水素の量と上記の（２）式の反応によって生成される水素の量とが等しくなり、水蒸気分圧は一定となる。
【００１５】
（期間Ｔｅ）
水素発生部材として設置されている鉄の概ね全てが上記の（２）式の反応を終えると（すなわち水素発生部材として設置されている鉄が概ねＦｅ3Ｏ4の状態まで酸化すると）、上記の（２）式の反応によって生成される水素の量が少なくなり、再び閉空間内の水蒸気分圧は上昇を始める。
【００１６】
ここで、上記２次電池型燃料電池システムの発電動作時において、固体酸化物型燃料電池の動作電圧ＶOPEは、下記の（３）式の通り、固体酸化物型燃料電池での発電反応Ｈ2＋（１／２）Ｏ2→Ｈ2Ｏに伴うギブスの自由エネルギー変化から算出される理論的な電圧ＶTHに対して、電圧損失ＶLOSSの分だけ小さくなる。
ＶOPE＝ＶTH−ＶLOSS    …（３）
【００１７】
この電圧損失ＶLOSSと動作電流ＩOPEとの積ＷLOSSは電気エネルギーではなく、熱エネルギーとなって消失するため、電圧損失ＶLOSSが大きいほど上記２次電池型燃料電池システムの発電効率が低下する。
【００１８】
ここで、上記２次電池型燃料電池システムの発電動作時における電圧損失ＶLOSSは下記の（４）式で表される。
【数１】
2014229504.tif 000003
【００１９】
上記の（４）式右辺の第１項は回路の抵抗成分ｒと動作電流ＩOPEとから算出される値であり、上記の（４）式右辺の第２項はネルンストの式に従って固体酸化物型燃料電池に供給される各ガスの分圧によって算出される値である。なお、Ｒは気体定数、Ｔは絶対温度、Ｆはファラデー定数、ＰH2は水素の分圧、ＰH2Оは水蒸気の分圧、ＰО2は酸素の分圧である。
【００２０】
上記２次電池型燃料電池システムの発電動作時に水素の分圧ＰH2が低くなり水蒸気の分圧ＰH2Оが高くなると、上記の（４）式より電圧損失ＶLOSSが増加し、上記２次電池型燃料電池システムの発電効率が低下する。
【００２１】
図３に、反応ガスの水蒸気分圧が低い場合の固体酸化物型燃料電池の電流−電圧特性を細線で示し、反応ガスの水蒸気分圧が高い場合の固体酸化物型燃料電池の電流−電圧特性を太線で示す。図３中の電圧損失ＶLOSS1及び動作電圧ＶOPE1は反応ガスの水蒸気分圧が低い場合の電圧損失及び動作電圧であり、図３中の電圧損失ＶLOSS2及び動作電圧ＶOPE2は反応ガスの水蒸気分圧が高い場合の電圧損失及び動作電圧である。
【００２２】
よって、上記２次電池型燃料電池システムにおいて、水素発生部材として設置されている鉄が概ねＦｅＯの状態まで酸化した後も発電動作を継続すると、閉空間内の水蒸気分圧が高くなるため、上記の（４）式より電圧損失ＶLOSSが増加し、上記２次電池型燃料電池システムの発電効率が低下し、充放電効率も低下するという課題がある。
【００２３】
また、特許文献２では、燃料電池と燃料発生部材を組み合わせた２次電池型燃料電池システムが開示されている。特許文献２で開示されている２次電池型燃料電池システムは、鉄の微粒子圧縮体が収容された水素発生器を複数備えており、鉄と酸化鉄の重量差を利用して、水素発生器の重量変化から鉄の残量を検知し、鉄の残量が所定量より少なくなったことが検知されれば、使用する水素発生器を切り替えている。しかしながら、所定量についての詳細な記載がなく、鉄の残量が所定量より少なくなるまで２次電池型燃料電池システムの発電動作を継続すると、上記の（２）式の反応が支配的に起こる場合があり、その場合には特許文献１と同様に充放電効率が低下するという課題がある。
【００２４】
本発明は、上記の状況に鑑み、充放電効率が高い２次電池型燃料電池システムを提供することを目的とする。
【課題を解決するための手段】
【００２５】
上記目的を達成するために本発明に係る２次電池型燃料電池システムは、鉄が主体であり、酸化反応によって水素を発生し、還元反応によって再生可能な水素発生部材と、酸化剤ガスと前記水素発生部材から供給される水素を用いて発電を行う発電機能及び前記水素発生部材の再生時に前記水素発生部材から供給される水蒸気を電気分解する電気分解機能を有する発電・電気分解部と、前記燃料発生部材と前記発電・電気分解部との間で水素及び水蒸気を含むガスを循環させるためのガス流路と、前記水素発生部材を封じた閉空間内の水蒸気分圧を検出する検出部と、前記水素発生部材の主体である鉄が概ね全てＦｅＯの状態まで酸化したと前記検出部の検出結果に基づいて判断すると、鉄が概ね全てＦｅＯの状態まで酸化した前記水素発生部材から供給される水素を用いた前記発電・電気分解部の発電を制限する制限部とを備える構成（第１の構成）とする。
【００２６】
上記第１の構成の２次電池型燃料電池システムにおいて、前記水素発生部材と前記発電・電気分解部とが別々の容器に収容され、前記検出部は、前記水素発生部材を収容する容器のガス流出口近傍に配置される構成（第２の構成）としてもよい。
【００２７】
上記第１又は第２の構成の２次電池型燃料電池システムにおいて、前記制限部は、前記水素発生部材の主体である鉄が概ね全てＦｅＯの状態まで酸化したと前記検出部の検出結果に基づいて判断すると、鉄が概ね全てＦｅＯの状態まで酸化した前記水素発生部材から供給される水素を用いた前記発電・電気分解部の発電を停止する構成（第３の構成）としてもよい。
【００２８】
上記第３の構成の２次電池型燃料電池システムにおいて、前記水素発生部材を複数備え、複数の前記水素発生部材と前記発電・電気分解部とが別々の容器に収容され、且つ、複数の前記水素発生部材それぞれが別々の容器に収容され、複数の前記燃料発生部と前記発電・電気分解部との間でのガス循環経路を切り替える切替部を前記ガス流路上に備え、前記制限部は、前記ガス循環経路に含まれている前記水素発生部材の主体である鉄が概ね全てＦｅＯの状態まで酸化したと前記検出部の検出結果に基づいて判断すると、鉄が概ね全てＦｅＯの状態まで酸化した前記水素発生部材を前記ガス循環経路から外すように、前記切替部を制御する構成（第４の構成）としてもよい。
【００２９】
上記第１又は第２の構成の２次電池型燃料電池システムにおいて、前記制限部は、前記水素発生部材の主体である鉄が概ね全てＦｅＯの状態まで酸化したと前記検出部の検出結果に基づいて判断すると、前記発電・電気分解部の出力可能最大出力を制限し、前記制限部によって制限された前記出力可能最大出力が前記２次電池型燃料電池システムに接続されている負荷の要求電力に満たない場合、前記負荷に接続されている他の電力供給源の出力電力によって前記要求電力の不足分が賄われる構成（第５の構成）としてもよい。
【発明の効果】
【００３０】
本発明に係る２次電池型燃料電池システムによると、鉄が概ね全てＦｅＯの状態まで酸化した水素発生部材から供給される水素を用いた発電・電気分解部の発電が制限されるので、システムの発電動作時に水蒸気分圧が高くなって発電効率が低下することを抑えることができる。これにより、充放電効率を向上させることができる。
【図面の簡単な説明】
【００３１】
【図１】鉄と酸化鉄との平行状態図である。
【図２】２次電池型燃料電池システムの発電動作時における水蒸気分圧の変化を示す図である。
【図３】固体酸化物型燃料電池の電流−電圧特性を示す図である。
【図４】本発明の第１実施形態に係る２次電池型燃料電池システムの概略構成を示す図である。
【図５】本発明の第１実施形態に係る２次電池型燃料電池システムの変形例を示す図である。
【図６】本発明の第２実施形態に係る２次電池型燃料電池システムの概略構成を示す図である。
【図７】システムコントローラの制御動作を示すフローチャートである。
【図８】本発明の第３実施形態に係る２次電池型燃料電池システムの概略構成を示す図である。
【図９】固体酸化物型燃料電池の電流−電圧特性及び電流−電力特性を示す図である。
【発明を実施するための形態】
【００３２】
本発明の実施形態について図面を参照して以下に説明する。なお、本発明は、後述する実施形態に限られない。
【００３３】
＜第１実施形態＞
本発明の第１実施形態に係る２次電池型燃料電池システムの概略構成を図４に示す。本実施形態に係る２次電池型燃料電池システムは、酸化反応により水素を発生する水素発生部材１と、酸素を含む酸化剤ガスと水素発生部材１から供給される水素との反応により発電を行う燃料電池部２と、水素発生部材１を収容する容器３と、燃料電池部２を収容する容器４と、水素発生部材１と燃料電池部２の燃料極２Ｂとの間でガスが流通するように容器３と容器４の間に設けられる配管５と、スイッチ部６と、発電回路部７と、充電回路部８と、配管５上に配置されるポンプ９及び露点計１０と、システム全体を制御するシステムコントローラ１１とを備えている。スイッチ部６は、システムコントローラ１１の制御に従って、システムの発電動作時に燃料電池部２と発電回路部７とを電気的に接続し、システムの充電動作時に燃料電池部２と充電回路部８とを電気的に接続する。
【００３４】
なお、必要に応じて、水素発生部材１や燃料電池部２の周辺に温度を調節するヒータや温度を検出する温度センサ等を設けてもよい。また、ポンプ９の代わりにブロア等の他の循環器を設けてもよい。また、ガスを強制的に流動させるためのポンプやブロア等を燃料電池部２の酸化剤極２Ｃに酸化剤ガスである空気を供給するための配管、燃料電池部２の酸化剤極２Ｃからガスを排出するための配管に配置してもよい。
【００３５】
水素発生部材１としては、基材料（主成分）が鉄である微粒子圧縮体からなる水素発生部材を用いる。また、燃料電池部２としては、例えば、Ｏ2-を透過する固体電解質を挟み、両側にそれぞれ燃料極と酸化剤極が形成されているＭＥＡ（Membrane Electrode Assembly；膜・電極接合体）構造をなす固体酸化物燃料電池部を用いることができる。なお、図４では、ＭＥＡを１つだけ設けた構造を図示しているが、ＭＥＡを複数設けたり、さらに複数のＭＥＡを積層構造にしたりしてもよい。
【００３６】
以下の説明では、燃料電池部２として固体酸化物燃料電池部を用いた場合について説明する。
【００３７】
本実施形態に係る２次電池型燃料電池システムの発電時に燃料電池部２は外部負荷（図４において不図示）に電気的に接続される。燃料電池部２では、本実施形態に係る２次電池型燃料電池システムの発電時に、燃料極２Ｂにおいて下記の（５）式の反応が起こる。
Ｈ2＋Ｏ2-→Ｈ2Ｏ＋２ｅ-  …（５）
【００３８】
上記の（５）式の反応によって生成された電子は、外部負荷（図４において不図示）を通って、酸化剤極２Ｃに到達し、酸化剤極２Ｃにおいて下記の（６）式の反応が起こる。
１／２Ｏ2＋２ｅ-→Ｏ2-  …（６）
【００３９】
そして、上記の（６）式の反応によって生成された酸素イオンは、固体電解質２Ａを通って、燃料極２Ｂに到達する。上記の一連の反応を繰り返すことにより、燃料電池部２が発電動作を行うことになる。また、上記の（５）式から分かるように、本実施形態に係る２次電池型燃料電池システムの発電動作時には、燃料極２Ｂ側においてＨ2が消費されＨ2Ｏが生成されることになる。
【００４０】
上記の（５）式及び（６）式より、本実施形態に係る２次電池型燃料電池システムの発電動作時における燃料電池部２での反応は下記の（７）式の通りになる。
Ｈ2＋（１／２）Ｏ2→Ｈ2Ｏ  …（７）
【００４１】
一方、水素発生部材１は、上記の（１）式に示す酸化反応により、本実施形態に係る２次電池型燃料電池システムの発電時に燃料電池部２の燃料極２Ｂ側で生成されたＨ2Ｏを消費してＨ2を生成する。なお、水素発生部材１は本実施形態に係る２次電池型燃料電池システムの発電動作時に概ね６００℃以上に加熱されている。
【００４２】
上記の（１）式に示す鉄の酸化反応が進むと、鉄から酸化鉄への変化が進んで鉄の残量が減っていくが、上記の（１）式の逆反応（還元反応）により、水素発生部材１を再生することができ、本実施形態に係る２次電池型燃料電池システムを充電することができる。
【００４３】
本実施形態に係る２次電池型燃料電池システムの充電時に燃料電池部２は外部電源（不図示）に接続される。燃料電池部２では、本実施形態に係る２次電池型燃料電池システムの充電時に、上記の（７）式の逆反応である下記の（９）式に示す電気分解反応が起こり、燃料極２Ｂ側においてＨ2Ｏが消費されＨ2が生成され、水素発生部材１では、上記の（１）式に示す酸化反応の逆反応である下記（１０）式に示す還元反応が起こり、燃料電池部２の燃料極２Ｂ側で生成されたＨ2が消費されＨ2Ｏが生成される。
Ｈ2Ｏ→Ｈ2＋（１／２）Ｏ2  …（９）
ＦｅＯ＋Ｈ2→Ｆｅ＋Ｈ2Ｏ  …（１０）
【００４４】
露点計１０は、水素発生部材１を収容する容器３のガス流出口近傍に配置されており、水素発生部材１及び燃料極２Ｂを封じた閉空間の露点温度を測定することで、水素発生部材１及び燃料極２Ｂを封じた閉空間内の水蒸気分圧を検出する。なお、露点計１０の代わりに、水素発生部材１及び燃料極２Ｂを封じた閉空間内の水蒸気分圧を検出することができる他の検出部を設けてもよい。例えば、水素発生部材１及び燃料極２Ｂを封じた閉空間内のガスが水蒸気と水素の混合ガスであるため、水素を検出する水素センサを設け、水素センサによって検出された水素量から間接的に水蒸気分圧を検出するようにしてもよい。
【００４５】
システムコントローラ１１は、水素発生部材１の主体である鉄が概ね全てＦｅＯの状態まで酸化したか否かを露点計１０の検出結果に基づいて判断する。
【００４６】
システムコントローラ１１の判断方法の一例では、図２に示した通り、水素発生部材１の主体である鉄が概ね全てＦｅＯの状態まで酸化すると、図２の期間Ｔｂから期間Ｔｃへ移行するため、それまで安定していた水蒸気分圧ＰH2Oが急激に上昇を始めることを利用する。すなわち、システムコントローラ１１は、露点計１０によって検出された水蒸気分圧ＰH2Oが安定した後、急激に上昇を始めたときに、水素発生部材１の主体である鉄が概ね全てＦｅＯの状態まで酸化したと判断する。
【００４７】
システムコントローラ１１の判断方法の他の例では、システムコントローラ１１は、露点計１０によって検出された水蒸気分圧ＰH2Oの値そのものから、水素発生部材１の主体である鉄が概ね全てＦｅＯの状態まで酸化したか否かを判断する。上記の（１）式の反応における平衡ガス組成および上記の（２）式の反応における平衡ガス組成は、各反応のギブスの自由エネルギーの変化から算出可能である。また、ギブスの自由エネルギーは熱力学のデータベースから得ることができる。したがって、上記の（１）式の反応における平衡ガス組成の水蒸気分圧Ｐ１H2O及び上記の（２）式の反応における平衡ガス組成の水蒸気分圧Ｐ２H2Oを予め算出しておき、システムコントローラ１１は、露点計１０によって検出された水蒸気分圧ＰH2OがＰ１H2O＜ＰH2O＜Ｐ２H2Oの条件を満たすときに、水素発生部材１の主体である鉄が概ね全てＦｅＯの状態まで酸化したと判断する。
【００４８】
なお、露点計１０の配置については、容器３のガス流出口近傍に露点計１０を配置する構成が、反応ガス（水蒸気と水素の混合ガス）と鉄との反応によって得られるガス組成を正確に計測できるため好ましい。しかしながら、露点計１０の配置スペースや配置場所の温度等の諸条件を考慮して、容器３のガス流出口から容器１のガス流入口までの配管５上であって、容器３のガス流出口近傍以外の場所に露点計１０を配置しても構わない。
【００４９】
また、容器１のガス流出口から容器３のガス流入口までの配管５上に露点計１０を配置することも可能である。ただし、この場合は燃料電池部２の発電反応によっても反応ガスのガス組成が変化するため、燃料電池部２の発電反応によって生成される水蒸気量または燃料電池部２の発電反応によって消費される水素量を燃料電池部２の発電量から算出し、その算出結果を用いて、露点計１０によって検出された水蒸気分圧ＰH2Oを補正することが望ましい。
【００５０】
本実施形態では、システムコントローラ１１は、水素発生部材１の主体である鉄が概ね全てＦｅＯの状態まで酸化したと判断すると、発電回路部７の動作を停止させてシステムの発電動作を停止し、必要に応じてスイッチ部６及び充電回路部８を制御してシステムの充電動作を開始する。これにより、鉄が概ね全てＦｅＯの状態まで酸化した水素発生部材１から供給される水素を用いた燃料電池部２の発電が制限されるので、システムの発電動作時に水蒸気分圧が高くなって発電効率が低下することを抑えることができる。従って、充放電効率を向上させることができる。
【００５１】
なお、水素発生部材１は、鉄が概ね全てＦｅＯの状態まで酸化していても、上記の（２）式の反応によって水素を生成し、燃料電池部２に供給することができる。このため、システムコントローラ１１が、水素発生部材１の主体である鉄が概ね全てＦｅＯの状態まで酸化したと判断すると、システムの発電動作を停止する通常モードと、水素発生部材１の主体である鉄が概ね全てＦｅＯの状態まで酸化したと判断してもシステムの発電動作を継続する発電優先モードとを有するようにしてもよい。この場合、例えば停電時の電力確保等のために効率よりも発電が優先される状況において、ユーザ操作などに従って、システムコントローラ１１が発電優先モードを選択するようにすればよい。
【００５２】
また、図４に示す構成では、水素発生部材１と燃料電池部２とを別々の容器に収容しているが、図５に示す構成のように、水素発生部材１と燃料電池部２とを同一の容器１２に収容してもよい。この場合、水素発生部材１と燃料電池部２との間には露点計１０によって水蒸気分圧が検出できるように空間を設けることが好ましい。
【００５３】
＜第２実施形態＞
本発明の第２実施形態に係る２次電池型燃料電池システムの概略構成を図６に示す。本実施形態に係る２次電池型燃料電池システムは、複数の水素発生部材１Ａ〜１Ｃを備え、複数の水素発生部材１Ａ〜１Ｃそれぞれが別々の容器３Ａ〜３Ｃに収容され、容器３Ａ〜３Ｃそれぞれのガス流入口近傍にバルブ１３Ａ〜１３Ｃが配置され、容器３Ａ〜３Ｃそれぞれのガス流出口近傍に露点計１０Ａ〜１０Ｃが配置されている以外は第１実施形態に係る２次電池型燃料電池システムと同様の構成である。
【００５４】
本実施形態に係る２次電池型燃料電池システムでは、外部負荷（図６において不図示）が要求する電力を出力するために必要な水素を燃料電池部２に供給できるように、システムコントローラ１１が、バルブ１３Ａ〜１３Ｃの開閉を制御する。水素発生部材１Ａ〜１Ｃの一部または全部に反応ガス（水蒸気と水素の混合ガス）を供給し、水素の生成が不要な水素発生部材への反応ガスの供給は停止しておくことで、反応ガスの供給にかかるエネルギー等を削減することができ、本実施形態に係る２次電池型燃料電池システムの運転を省エネルギーで行える。
【００５５】
さらに、システムコントローラ１１は、システムの発電動作時に図７のフローチャートに示す制御を行う。
【００５６】
システムの発電動作が開始されると、システムコントローラ１１は、ガス循環経路に含まれている水素発生部材すなわち対応するバルブが開いている水素発生部材の主体である鉄が概ね全てＦｅＯの状態まで酸化したか否かを、ガス循環経路に含まれている水素発生部材に対応する露点計の検出結果に基づいて判断する（ステップＳ１０）。
【００５７】
ガス循環経路に含まれている水素発生部材の主体である鉄が概ね全てＦｅＯの状態まで酸化したと判断した場合（ステップＳ１０）、システムコントローラ１１は、鉄が概ね全てＦｅＯの状態まで酸化した水素発生部材に対応するバルブを閉じ、鉄が概ね全てＦｅＯの状態まで酸化した水素発生部材をガス循環経路から外す（ステップＳ２０）。
【００５８】
ステップＳ２０に続くステップＳ３０において、システムコントローラ１１は、ガス循環経路に含まれておらず、鉄が概ね全てＦｅＯの状態まで酸化していない水素発生部材が有るか否かを、ガス循環経路に含まれていない水素発生部材に対応する露点計の検出結果に基づいて判断する。
【００５９】
ガス循環経路に含まれておらず、鉄が概ね全てＦｅＯの状態まで酸化していない水素発生部材が有ると判断した場合（ステップＳ３０のＹＥＳ）、システムコントローラ１１は、鉄が概ね全てＦｅＯの状態まで酸化していない水素発生部材の一部または全部に対応するバルブを開け、鉄が概ね全てＦｅＯの状態まで酸化していない水素発生部材の一部または全部をガス循環経路に含め（ステップＳ４０）、その後ステップＳ１０に戻る。
【００６０】
一方、ガス循環経路に含まれておらず、鉄が概ね全てＦｅＯの状態まで酸化していない水素発生部材が無いと判断した場合（ステップＳ３０のＮＯ）、システムコントローラ１１は、発電回路部７の動作を停止させてシステムの発電動作を停止し、必要に応じてスイッチ部６及び充電回路部８を制御してシステムの充電動作を開始する。これにより、鉄が概ね全てＦｅＯの状態まで酸化した水素発生部材から供給される水素を用いた燃料電池部２の発電が制限されるので、システムの発電動作時に水蒸気分圧が高くなって発電効率が低下することを抑えることができる。従って、充放電効率を向上させることができる。
【００６１】
なお、水素発生部材１Ａ〜１Ｃは、鉄が概ね全てＦｅＯの状態まで酸化していても、上記の（２）式の反応によって水素を生成し、燃料電池部２に供給することができる。このため、第１実施形態と同様に、システムコントローラ１１が発電優先モードを有するようにしてもよい。この場合、例えば停電時の電力確保等のために効率よりも発電が優先される状況において、ユーザ操作などに従って、システムコントローラ１１が発電優先モードを選択するようにすればよい。本実施形態における発電優先モードは、水素発生部材１Ａ〜１Ｃの全てにおいて主体である鉄が概ね全てＦｅＯの状態まで酸化したと判断してもシステムの発電動作を継続するモードである。
【００６２】
また、容器３Ａ〜３Ｃのガス流入口側のみならずガス流出口側にもバルブを設け、互いに対応するガス流入口側のバルブとガス流出口側のバルブとの開閉状態を一致させるようにしてもよい。この場合、ガス流出口側に設けるバルブとガス流出口との間に露点計を配置することが望ましい。
【００６３】
＜第３実施形態＞
本発明の第３実施形態に係る２次電池型燃料電池システムの概略構成を図８に示す。本実施形態に係る２次電池型燃料電池システムは、第１実施形態に係る２次電池型燃料電池システムと同様の構成であるが、鉄が概ね全てＦｅＯの状態まで酸化した水素発生部材１から供給される水素を用いた燃料電池部２の発電の制限内容が異なっている。また、本実施形態に係る２次電池型燃料電池システムに接続されている外部負荷１４は、他の電力供給源１５にも接続されている。
【００６４】
他の電力供給源１５としては、例えば、系統商用電源、あるいは、太陽光発電設備や風力発電設備等の再生可能エネルギー発電設備、あるいは、リチウムイオン２次電池や鉛蓄電池等の電池を挙げることができる。
【００６５】
本実施形態では、システムコントローラ１１は、水素発生部材１の主体である鉄が概ね全てＦｅＯの状態まで酸化したと判断すると、発電回路部７の出力にリミットをかけて燃料電池部２の出力可能最大電力を制限する。ここで、システムコントローラ１１によって制限された燃料電池部２の出力可能最大電力が外部負荷１４の要求電力に満たなかった場合、他の電力供給源１５の出力電力が外部負荷１４の要求電力の不足分を賄うようにすればよい。
【００６６】
燃料電池部２の出力可能最大電力は、システムコントローラ１１による制限がなければ、例えば燃料電池部２の仕様である定格出力等によって設定される。システムコントローラ１１が燃料電池部２の出力可能最大電力を制限すると、例えば、図９の燃料電池の電流―電圧特性及び電流―電力特性に示す通り、燃料電池部２から取り出す電流量がＩOPEからＩ’OPEに減少する。この電流量の減少により、上記の（４）式の動作電流ＩOPEが減少し、上記の（４）式の電圧損失ＶLOSSが減少するため、本実施形態に係る２次電池型燃料電池システムの発電効率が上昇する。この燃料電池部２の出力可能最大電力の制限により、システムの発電動作時に水蒸気分圧が高くなって発電効率が低下することを抑えることができる。従って、充放電効率を向上させることができる。
【００６７】
なお、第１実施形態と同様に、システムコントローラ１１が発電優先モードを有するようにしてもよい。この場合、例えば停電時の電力確保等のために効率よりも発電が優先される状況において、ユーザ操作などに従って、システムコントローラ１１が発電優先モードを選択するようにすればよい。
【００６８】
＜その他＞
上述した実施形態においては、燃料電池部２の電解質膜２Ａとして固体酸化物電解質を用いて、発電の際に燃料極２Ｂ側で水を発生させるようにする。この構成によれば、水素発生部材１が設けられた側で水を発生するため、装置の簡素化や小型化に有利である。一方、特開２００９−９９４９１号公報に開示された燃料電池のように、燃料電池部２の電解質膜２Ａとして水素イオンを通す固体高分子電解質を用いることも可能である。但し、この場合には、発電の際に燃料電池部２の酸化剤極２Ｃ側で水が発生されることになるため、この水を水素発生部材１に伝搬する流路を設ければよい。
【００６９】
また、上述した実施形態では、１つの燃料電池部２が発電も水の電気分解も行っているが、燃料電池（例えば発電専用の固体酸化物燃料電池）と水の電気分解器（例えば水の電気分解専用の固体酸化物燃料電池）が水素発生部材１に対してガス流路上並列に接続される構成にしてもよい。
【００７０】
また、上述した各実施形態同士は、矛盾のない限り適宜部分的に組み合わせて実施しても構わない。
【符号の説明】
【００７１】
１、１Ａ〜１Ｃ  燃料発生部材
２  燃料電池部
２Ａ  電解質膜
２Ｂ  燃料極
２Ｃ  酸化剤極
３、３Ａ〜３Ｃ、４、１２  容器
５  配管
６  スイッチ部
７  発電回路部
８  充電回路部
９  ポンプ
１０、１０Ａ〜１０Ｃ  露点計
１１  システムコントローラ
１３Ａ〜１３Ｃ  バルブ
１４  外部負荷
１５  他の電力供給源
【図１】
2014229504.tif 000004
【図２】
2014229504.tif 000005
【図３】
2014229504.tif 000006
【図４】
2014229504.tif 000007
【図５】
2014229504.tif 000008
【図６】
2014229504.tif 000009
【図７】
2014229504.tif 000010
【図８】
2014229504.tif 000011
【図９】
2014229504.tif 000012